(57)【特許請求の範囲】
【請求項１】
電圧無印加時における配向状態がスプレイ配向である液晶分子を含んでなる液晶層を挟持する一対の基板と、
前記一対の基板の一方の基板上における画素領域の周囲を規定する額縁領域に少なくとも部分的に配置される導電性の配向維持部材と、
前記一方の基板に配置される画素電極と、
前記一対の基板の他方の基板に前記画素電極と対応して配置される対向電極と、
を備え、
前記配向維持部材は、前記画素領域の外縁のうち相対向する二辺に沿って配置された本体部と、前記外縁のうち前記二辺の少なくとも一方に相隣接する辺に沿い、前記本体部が配置された第１層とは異なる第２層に配置された延設部とを有し、
前記配向維持部材と前記対向電極との間に、前記額縁領域のうち前記画素領域と隣接する領域の少なくとも一部における前記液晶層をベンド配向状態とするための電圧が駆動時に印加される、
ことを特徴とする液晶装置。
【請求項２】
電位を、前記配向維持部材に供給する電圧供給手段を更に備えることを特徴とする請求項１に記載の液晶装置。
【請求項３】
前記電圧供給手段は、前記画素領域における前記液晶層を駆動するための各種駆動用信号の一部と共用で、前記電位を供給することを特徴とする請求項２に記載の液晶装置。
【請求項４】
前記配向維持部材は、静電気から当該液晶装置を保護する静電気保護回路の少なくとも一部を構成することを特徴とする請求項１乃至３のいずれか一項に記載の液晶装置。
【請求項５】
前記配向維持部材は、前記一方の基板上で平面的に見て、島状に形成されていることを特徴とする請求項１乃至４のいずれか一項に記載の液晶装置。
【請求項６】
前記一方の基板は、前記画素領域にマトリクス状に配列された複数の画素電極を有し、
前記配向維持部材は、前記複数の画素電極と層間絶縁膜を介して互いに異なる層に配置されている、
ことを特徴とする請求項１乃至５のいずれか一項に記載の液晶装置。
【請求項７】
請求項１乃至６のいずれか一項に記載の液晶装置を備える電子機器。
【発明の詳細な説明】
【技術分野】
【０００１】
本発明は、例えば各種情報等の表示に好適なＯＣＢ（Ｏｐｔｉｃａｌｌｙ  Ｃｏｍｐｅｎｓａｔｅｄ  Ｂｅｎｄ）モード液晶装置、及び該液晶装置を備える、例えば携帯情報端末機等の電子機器の技術分野に関する。
【背景技術】
【０００２】
この種の液晶装置として、表示画素部の外周の非表示部に画素電極及びＴＦＴ（Ｔｈｉｎ  Ｆｉｌｍ  Ｔｒａｎｓｉｓｔｏｒ）素子のうち少なくとも一方が配置されたＯＣＢ型液晶装置が提案されている。ここでは特に、非表示部に配置された画素電極に所定電位を印加して、液晶分子がベンド配向からスプレイ配向に逆転移することを抑制する技術が提案されている（特許文献１参照）。
【０００３】
【特許文献１】特開２００２−３１１４５６号公報
【発明の開示】
【発明が解決しようとする課題】
【０００４】
しかしながら、特許文献１に記載の技術によれば、非表示部に画素電極及びＴＦＴ素子が配置されていなければ、十分には逆転移を抑制することができない可能性があるという技術的問題点がある。
【０００５】
本発明は、例えば上記問題点に鑑みてなされたものであり、簡便且つ効果的に、液晶分子がベンド配向からスプレイ配向に逆転移することを抑制することができる液晶装置及び電子機器を提供することを課題とする。
【課題を解決するための手段】
【０００６】
本発明の液晶装置は、上記課題を解決するために、電圧無印加時における配向状態がスプレイ配向である液晶分子を含んでなる液晶層を挟持する一対の基板と、前記一対の基板の一方の基板上における画素領域の周囲を規定する額縁領域に少なくとも部分的に配置される導電性の配向維持部材と、前記一方の基板に配置される画素電極と、前記一対の基板の他方の基板に前記画素電極と対応して配置される対向電極と、を備え、前記配向維持部材は、前記画素領域の外縁のうち相対向する二辺に沿って配置された本体部と、前記外縁のうち前記二辺の少なくとも一方に相隣接する辺に沿い、前記本体部が配置された第１層とは異なる第２層に配置された延設部とを有し、前記配向維持部材と前記対向電極との間に、前記額縁領域のうち前記画素領域と隣接する領域の少なくとも一部における前記液晶層をベンド配向状態とするための電圧が駆動時に印加される。
【０００７】
本発明の液晶装置によれば、一対の基板は、電圧無印加時における配向状態がスプレイ配向である液晶分子を含んでなる液晶層を挟持している。液晶分子の配向状態は、当該液晶装置の駆動時に、一対の基板間に所定電圧が印加されることによりベンド配向となる。即ち、当該液晶装置は、ＯＣＢモード液晶装置である。尚、一対の基板の少なくとも一方の基板上における液晶層と対向する側には、所定方位にラビングが施された有機配向膜、又はＳｉＯやＳｉＯ２等の無機材料からなる無機配向膜を有している。他方の基板上における液晶層と対向する側にも、同様に、有機配向膜又は無機配向膜が設けられていてよい。
【０００８】
導電性の配向維持部材は、一対の基板の一方の基板上における画素領域の周囲を規定する額縁領域に少なくとも部分的に配置されると共に、前記額縁領域における前記液晶層をベンド配向状態にするための電位とされる。配向維持部材は、例えば、画素領域の外縁の少なくとも一部に沿って延びる配線、又は島状に形成された導電部材等として構成されている。ここに本発明に係る、「画素領域」とは、個々の画素の領域を意味するのではなく、複数の画素が平面配列された領域全体を意味し、典型的には、「画像表示領域」或いは「表示領域」に相当する。
【０００９】
更に、本発明の液晶装置は、前記一方の基板に配置される画素電極と、前記一対の基板の他方の基板に前記画素電極と対応して配置される対向電極とを備え、前記配向維持部材と前記対向電極との間に、前記額縁領域における前記液晶層をベンド配向状態にするための電圧が駆動時に印加される。導電性の配向維持部材の電位（即ち、額縁領域における液晶層をベンド配向状態にするための電位）は、一対の基板の他方の基板上に配置された、対向電極等と配向維持部材との間に、スプレイ配向からベンド配向に転移するために必要な電圧（以降、適宜“ベンド転移電圧”と称する）以上の電圧が印加されるような電位であり、また、少なくとも所定期間ずつ固定された電位を意味する。例えば、接地電位或いはグランド電位の如く、時間軸に対して完全に一定電位に固定された固定電位であってもよいし、１水平期間毎または１垂直期間毎に液晶層に印加される電圧が反転する駆動に対応して、１水平期間毎または１垂直期間毎に変動する電位であってもよい。このように、交流或いは矩形波におけるその実効値により、液晶層を実質的に（即ち、表示上で識別できない程度まで）ベンド配向状態とし得る電位であれば足りる。
【００１０】
本願発明者の研究によれば、額縁領域に配置されている液晶分子には、ベンド転移電圧以上の電圧が印加されていない（言い換えれば、額縁領域には液晶分子の配向を制御するための電極が設置されていない）ので、液晶装置の駆動時においてもスプレイ配向となっている。このため、画素領域と額縁領域との境界付近では、額縁領域に配置されている液晶分子の影響により、画素領域に配置されている液晶分子の配向状態がベンド配向からスプレイ配向に逆転移する可能性がある。この逆転移を抑制するために、画素領域の外周に画素電極及びＴＦＴ素子のうち少なくとも一方を配置する技術が提案されている。しかしながら、画素電極及びＴＦＴ素子を配置しなければ、十分には逆転移を抑制することが困難であり、例えば液晶装置の構造が複雑化したり、製造コストが増加したりする可能性があるということが判明している。
【００１１】
しかるに本発明では、導電性の配向維持部材が額縁領域に少なくとも部分的に配置されている。そして、配向維持部材と、例えば対向電極との間に配置された液晶分子にベンド転移電圧以上の電圧が印加される。このため、仮に逆転移が生じたとしても、額縁領域のうち配向維持部材の外周付近であり、画素領域に配置された液晶分子には影響は及ばない。加えて、配向維持部材として、例えば配線又は導電部材等のみを形成すればよく、実用上非常に有利である。
【００１２】
以上の結果、本発明の液晶装置によれば、簡便且つ効果的に、液晶分子がベンド配向からスプレイ配向に逆転移することを抑制することができる。この結果、高品質な表示画像を表示することができる。
【００１３】
更に、本発明の液晶装置では、前記配向維持部材は、前記画素領域の外縁のうち相対向する二辺に沿って配置された本体部を有する。
【００１４】
本体部は、画素領域の外縁のうち相対向する二辺（典型的には、一方の基板上の画素領域に配置された走査線の延びる方向と交わる方向に沿う辺）に沿って配置されている。
【００１５】
本願発明者の研究によれば、逆転移は、画素領域に配置されたデータ線の延びる方向よりも、走査線の延びる方向に生じやすいことが判明している。従って、本体部が、走査線の延びる方向と交わる方向に沿う辺に沿って配置されることにより、効果的に逆転移を抑制することができ、実用上非常に有利である。
【００１６】
この本体部を有する本発明の液晶装置では、前記配向維持部材は、前記外縁のうち前記二辺の少なくとも一方に相隣接する辺に沿って配置された延設部を更に有する。
【００１７】
このように構成すれば、例えば画素領域が矩形であれば、本体部及び延設部によって画素領域の周囲を額縁状に囲うことができ、より効果的に逆転移を抑制することができる。
【００１８】
この延設部を有する本発明の液晶装置では、前記延設部は、前記本体部が配置された第１層とは異なる第２層に配置されている。
【００１９】
このように構成すれば、配向維持部材を、例えばデータ線や走査線等と同一層に配置する場合に、データ線や走査線等を回避しつつ、画素領域の周囲を額縁状に囲うことができ、実用上非常に有利である。
【００２０】
本発明の液晶装置の他の態様では、前記電位を、前記配向維持部材に供給する電圧供給手段を更に備える。
【００２１】
この態様によれば、電圧供給手段は、配向維持部材に対し、額縁領域における液晶層をベンド配向状態にするための電位を供給する。このため、比較的容易にして、逆転移を抑制することができる。
【００２２】
電圧供給手段を備える態様では、前記電圧供給手段は、前記画素領域における前記液晶層を駆動するための各種駆動用信号の一部と共用で、前記電圧を供給してもよい。
【００２３】
このように構成すれば、配向維持部材に電圧を供給するための専用の電圧供給手段を別途設ける必要がなく、例えば配向維持部材と駆動用信号が供給される配線とを電気的に接続すればよいので、実用上非常に有利である。
【００２４】
本発明の液晶装置の他の態様では、前記配向維持部材は、静電気から当該液晶装置を保護する静電気保護回路の少なくとも一部を構成する。
【００２５】
この態様によれば、配向維持部材を設けるために、別途配線等を形成する必要がないので、例えば製造コストの増加を抑制することができ、実用上非常に有利である。
【００２６】
本発明の液晶装置の他の態様では、前記配向維持部材は、前記一方の基板上で平面的に見て、島状に形成されている。
【００２７】
この態様によれば、配向維持部材と同一層に配置されている、例えば配線等を回避しつつ、配向維持部材を配置することができ、実用上非常に有利である。
【００２８】
本発明の液晶装置の他の態様では、前記一方の基板は、前記画素領域にマトリクス状に配列された複数の画素電極を有し、前記配向維持部材は、前記複数の画素電極と層間絶縁膜を介して互いに異なる層に配置されている。
【００２９】
この態様によれば、例えばアルミニウム等の比較的導電率の高い材料により配向維持部材を形成する場合に、例えばＩＴＯ（Ｉｎｄｉｕｍ  Ｔｉｎ  Ｏｘｉｄｅ）等の透明導電酸化物により形成される画素電極と層間絶縁膜を介して互いに異なる層に形成することによって、当該液晶装置の製造工程における工程数の増加を抑制することができ、実用上非常に有利である。
【００３０】
本発明の電子機器は、上記課題を解決するために、上述した本発明の液晶装置（但し、その各種態様を含む）を備える。
【００３１】
本発明の電子機器によれば、上述した本発明の液晶装置を備えてなるので、簡便且つ効果的に逆転移を抑制することができる。この結果、高品質な表示画像を表示可能な、投射型表示装置、テレビ、携帯電話、電子手帳、携帯オーディオプレーヤ、ワードプロセッサ、デジタルカメラ、ビューファインダ型又はモニタ直視型のビデオテープレコーダ、ワークステーション、テレビ電話、ＰＯＳ端末、タッチパネル等の各種電子機器を実現できる。
【００３２】
本発明の作用及び他の利得は次に説明する実施するための最良の形態から明らかにされる。
【発明を実施するための最良の形態】
【００３３】
以下、本発明に係る液晶装置及び電子機器の各実施形態を図面に基づいて説明する。尚、以下の図では、各層・各部材を図面上で認識可能な程度の大きさとするため、該各層・各部材ごとに縮尺を異ならしめてある。また、以下の実施形態では、液晶装置の一例として、駆動回路内蔵型のＴＦＴアクティブマトリックス駆動方式の液晶装置を挙げる。
【００３４】
＜液晶装置＞
本発明の液晶装置に係る実施形態について、図１乃至図７を参照して説明する。
【００３５】
先ず、本発明に係る液晶装置の構成について、図１及び図２を参照して説明する。ここに、図１は、ＴＦＴアレイ基板をその上に形成された各構成要素と共に対向基板の側から見た平面図であり、図２は、図１のＨ−Ｈ´線断面図である。
【００３６】
図１及び図２において、液晶装置１００では、本発明に係る「一対の基板」の一例としてのＴＦＴアレイ基板１０及び対向基板２０が対向配置されている。ＴＦＴアレイ基板１０は、例えば、石英基板、ガラス基板、シリコン基板等の基板からなり、対向基板２０は、例えば、石英基板、ガラス基板等の基板からなる。ＴＦＴアレイ基板１０と対向基板２０との間には、液晶層５０が封入されている。
【００３７】
液晶層５０は、電圧無印加時における配向状態がスプレイ配向であり、液晶装置１００の駆動時における配向状態がベンド配向である液晶分子を含んで構成されている。即ち、液晶装置１００は、ＯＣＢモード液晶装置である。
【００３８】
ＴＦＴアレイ基板１０と対向基板２０とは、本発明に係る「画素領域」の一例としての画像表示領域１０ａの周囲に位置するシール領域５２ａに配置されたシール材５２により相互に接着されている。シール材５２は、両基板を貼り合わせるための、例えば紫外線硬化樹脂や熱硬化樹脂、又は紫外線・熱併用型硬化樹脂等からなり、製造工程においてＴＦＴアレイ基板１０上に塗布された後、紫外線照射、加熱等により硬化させられたものである。
【００３９】
画像表示領域１０ａ及び画像表示領域１０ａの周辺に位置する周辺領域には、ＴＦＴアレイ基板１０と対向基板２０との間隔（即ち、ギャップ）を所定値とするためのグラスファイバ或いはガラスビーズ等のギャップ材が配置されている。尚、ギャップ材を、画像表示領域１０ａ等に配置されるものに加えて若しくは代えて、シール材５２に混入するようにしてもよい。
【００４０】
図１において、シール材５２が配置されたシール領域５２ａの内側に並行して、画像表示領域１０ａを規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４１】
周辺領域のうち、シール材５２が配置されたシール領域５２ａの外側に位置する領域には、データ線駆動回路１０１及び外部回路接続端子１０２がＴＦＴアレイ基板１０の一辺に沿って設けられている。この一辺に沿ったシール領域よりも内側にサンプリング回路７が額縁遮光膜５３に覆われるようにして設けられている。走査線駆動回路１０４は、この一辺に隣接する２辺に沿ったシール領域５２ａの内側の額縁領域５３ａに、額縁遮光膜５３に覆われるようにして設けられている。
【００４２】
また、額縁領域５３ａには、ここでは図示しない、例えばアルミニウム等の金属、ＩＴＯ等の導電性酸化物等からなる配向維持部材が少なくとも部分的に配置されている。この配向維持部材には、液晶装置１００の駆動時に、後述する外部回路接続端子１０２を介して、本発明に係る「電圧供給手段」の一例としての電源１５０からベンド配向状態にするための電位が供給される。尚、電源１５０は、液晶装置１００を駆動するための電源と共用である。
【００４３】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路１０１、走査線駆動回路１０４、上下導通端子１０６等とを電気的に接続するための引回配線９０が形成されている。
【００４４】
図２において、ＴＦＴアレイ基板１０上には、駆動素子である画素スイッチング用のＴＦＴや走査線、データ線等の配線が作り込まれた積層構造が形成される。複数の走査線及び複数のデータ線は、相互に交差して配線され、これら交差に対応して画素に対応する画素部がマトリクス状に設けられている。この積層構造の詳細な構成については図２では図示を省略してあるが、この積層構造の上に、ＩＴＯ等の透明材料からなる画素電極９ａが、画素毎に所定のパターンで島状に形成されている。
【００４５】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００４６】
ここで、画素部について、図３を参照して説明を加える。ここに、図３は、画素部における各種素子、配線等の等価回路図である。
【００４７】
図３に示すように、複数の画素部９の各々に、画素電極９ａと、該画素電極９ａをスイッチング制御するためのＴＦＴ３０とが形成されている。データ信号を供給するためのデータ線６ａがＴＦＴ３０のソースに電気的に接続されている。また、ＴＦＴ３０のゲートにゲート電極が電気的に接続されており、所定のタイミングで、走査線１１ａ及びゲート電極に、パルス的に走査信号が印加されるように構成されている。
【００４８】
画素電極９ａは、ＴＦＴ３０のドレインに電気的に接続されており、スイッチング素子であるＴＦＴ３０を一定期間だけそのスイッチを閉じることにより、データ線６ａから供給される、データ信号を所定のタイミングで書き込む。
【００４９】
画素電極９ａを介して液晶に書き込まれた所定レベルのデータ信号は、対向基板２０（図２参照）に形成されると共に、共通電位ＬＣＣＯＭとされた対向電極２１との間で一定期間保持される。液晶は、印加される電圧レベルにより分子集合の配向や秩序が変化することにより、光を変調し、階調表示を可能とする。
【００５０】
ここで保持されたデータ信号がリークするのを防ぐために、画素電極９ａと対向電極２１との間に形成される液晶容量と並列に蓄積容量７０が付加されている。蓄積容量７０の一方の電極は、走査線１１ａに並んで設けられ、共通電位ＬＣＣＯＭとされた容量線３００と電気的に接続されており、固定電位側容量電極として機能する。蓄積容量７０の他方の電極は、画素電極９ａと電気的に接続されており、画素電位側容量電極として機能する。
【００５１】
再び、図１及び図２に戻り、対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えば直視用のバックライトから出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。また、画像表示領域１０ａにおいてカラー表示を行うために、開口領域及び非開口領域の一部を含む領域に、カラーフィルタが形成されていてもよい。
【００５２】
遮光膜２３上に、ＩＴＯ等の透明材料からなる対向電極２１が複数の画素電極９ａと対向して形成されている。対向基板２０の対向面上における、対向電極２１上には、配向膜２２が形成されている。
【００５３】
尚、図１及び図２に示したＴＦＴアレイ基板１０上には、これらのデータ線駆動回路１０１、走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００５４】
次に、配向維持部材について、図４乃至図６を参照して詳しく説明する。ここに、図４は、本実施形態に係る液晶装置の平面図であり、図５は、図４のＡ−Ａ´線断面の一部を拡大して示す拡大断面図であり、図６は、図４のＢ−Ｂ´線断面の一部を拡大して示す拡大断面図である。尚、以降の図においては、図１及び図２で示した、液晶装置１００の詳細な部材については適宜省略し、直接関連のある部材のみを示す。
【００５５】
図４において、配向維持部材２１０が、画像表示領域１０ａの周囲を規定する額縁領域５３ａ（図１参照）に配置されている。配向維持部材２１０は、画像表示領域１０ａの外縁のうち相対向する二辺に沿って配置された本体部２１１と、前記二辺の少なくとも一方に相隣接する辺に沿って配置された延設部２１２とを有する。液晶装置１００の駆動時には、配向維持部材２１０は、該配向維持部材２１０及び対向電極２１（図２参照）間に、ベンド転移電圧以上の電圧が印加されるような電位とされる。このため、配向維持部材２１０の対向側には、対向電極２１の少なくとも一部が配置される。
【００５６】
図５において、ＴＦＴアレイ基板１０の上には、画素スイッチング用の複数のＴＦＴ３０が形成されている。各ＴＦＴ３０のゲート電極（図示せず）には、層間絶縁膜４１乃至４３に形成されたコンタクトホールｈ１を介して、画素電極９ａが電気的に接続されている。
【００５７】
図６において、本体部２１１と延設部２１２とは、層間絶縁膜４２に形成されたコンタクトホールｈ２を介して相互に電気的に接続されている。このように、本体部２１１と延設部２１２とを層間絶縁膜４２を介して互いに異なる層に配置することにより、例えば図６に示すように、複数のデータ線６ａを回避しつつ、配向維持部材２１０を配置することができる。言い換えれば、既存の配線のレイアウトを、全く又は殆ど変更することなく、配向維持部材２１０を配置することができる。
【００５８】
次に、液晶層５０に印加される電圧について、図７を参照して説明する。ここに、図７は、液晶層に印加される電圧と透過率との関係の一例を示す特性図である。尚、図中の電圧Ｖｃｒは、ベンド転移電圧を示している。
【００５９】
図７に示すように、液晶層５０に含まれる液晶分子がベンド配向となる電圧Ｖｃｒ以上では、電圧が高くなるにつれて、透過率が減少している。このため、画像表示領域１０ａに配置される液晶分子には（即ち、画素電極９ａ及び対向電極２１間には）、電圧Ｖｃｒの近傍且つ電圧Ｖｃｒ以上の電圧を印加することによって、透過率を向上させる（更には、コントラスト比を向上させる）ことが図られる。
【００６０】
仮に、配向維持部材２１０が配置されていなければ、特に画像表示領域１０ａの外縁近傍において、例えば電場の揺らぎ等に起因して、液晶分子の配向状態がベンド配向からスプレイ配向に逆転移する可能性がある。
【００６１】
しかるに本実施形態では、配向維持部材２１０が、該配向維持部材２１０及び対向電極２１間に、ベンド転移電圧以上の電圧が印加されるような電位とされている。このため、仮に逆転移が生じたとしても、配向維持部材２１０の外周付近であり、画像表示領域１０ａに配置された液晶分子には影響は及ばない。この配向維持部材２１０が配置されていることによる効果を、効率的に享受するためには、画像表示領域１０ａの最外周の画素電極９ａと配向維持部材２１０との間の距離ｄ（図５参照）は、画素電極９ａの幅以下であることが望ましく、５０μｍ（マイクロメートル）以下であることが望ましいことが、本願発明者の研究により判明している。
【００６２】
尚、配向維持部材２１０は、静電気から液晶装置１００を保護する静電気保護回路の少なくとも一部を構成してもよい。また、配向維持部材２１０と画素電極９ａとが同一層（即ち、層間絶縁膜４３上）に配置されてもよい。
【００６３】
（変形例）
次に、本実施形態に係る液晶装置における配向維持部材の変形例について、図８を参照して説明する。ここに、図８は、本実施形態に係る配向維持部材の変形例を示す平面図である。
【００６４】
図８に示すように、本変形例に係る配向維持部材２２０は、ＴＦＴアレイ基板１０上で平面的に見て、島状に形成されている。このため、配向維持部材２２０を配置すべき層と同一層に、例えば配線等が配置されていても、配向維持部材２２０を配置することができ実用上非常に有利である。
【００６５】
＜電子機器＞
本発明に係る電子機器の実施形態について、図９を参照して説明する。ここに、図９は、上述した液晶装置１００が適用されたカーナビゲーション装置の斜視図である。
【００６６】
図９において、カーナビゲーション装置１５００は、複数の操作ボタン１５０２と共に、上述した液晶装置１００と同様の構成を有する液晶装置１００５を備えている。従って、上述した各種効果を好適に享受することができる。
【００６７】
尚、図９を参照して説明した電子機器の他にも、液晶テレビ、ビューファインダ型又はモニタ直視型のビデオテープレコーダ、ページャ、電子手帳、電卓、ワードプロセッサ、ワークステーション、携帯電話機、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【００６８】
本発明は、上述した実施例に限られるものではなく、請求の範囲及び明細書全体から読み取れる発明の要旨或いは思想に反しない範囲で適宜変更可能であり、そのような変更を伴う液晶装置及び電子機器もまた本発明の技術的範囲に含まれるものである。
【図面の簡単な説明】
【００６９】
【図１】本発明の実施形態に係るＴＦＴアレイ基板をその上に形成された各構成要素と共に対向基板の側から見た平面図である。
【図２】図１のＨ−Ｈ´線断面図である。
【図３】本発明の実施形態に係る液晶装置の画素部における各種素子、配線等の等価回路図である。
【図４】本発明の実施形態に係る液晶装置の平面図である。
【図５】図４のＡ−Ａ´線断面の一部を拡大して示す拡大断面図である。
【図６】図４のＢ−Ｂ´線断面の一部を拡大して示す拡大断面図である。
【図７】本発明の実施形態に係る液晶装置の液晶層に印加される電圧と透過率との関係の一例を示す特性図である。
【図８】本発明の実施形態に係る配向維持部材の変形例を示す平面図である。
【図９】本発明に係る液晶装置が適用されたカーナビゲーション装置の斜視図である。
【符号の説明】
【００７０】
１０…ＴＦＴアレイ基板、１０ａ…画像表示領域、２０…対向基板、５０…液晶層、１００…液晶装置、２１０、２２０…配向維持部材、２１１…本体部、２１２…延設部
【図１】
0004631923.tif 000002
【図２】
0004631923.tif 000003
【図３】
0004631923.tif 000004
【図４】
0004631923.tif 000005
【図５】
0004631923.tif 000006
【図６】
0004631923.tif 000007
【図７】
0004631923.tif 000008
【図８】
0004631923.tif 000009
【図９】
0004631923.tif 000010